(57)【要約】【課題】  ガラス扉の可動範囲を広くでき、ガラス扉を容易に取り付けることが可能な弾球遊技機のヒンジ機構を提供する。【解決手段】  ガラス扉は、前面に軸受け金具３２が設けられた扉本体２８と、扉本体２８の前面及び側面を覆う外装体２９とを備えている。軸受け金具３２と外装体２９の側壁部２９ｂとの間には、軸受け金具３２の挿入穴３２ａに対してヒンジ軸３４を嵌合させる方向に沿ってガイドリブ４０，４１が設けられている。ガラス扉が保持枠２５に取り付けられる際、ヒンジ軸３４が設けられた板状部材３５の先端がガイドリブ４０，４１の間に入り込み、ヒンジ軸３４が挿入穴３２ａに向かって誘導されるので、挿入穴３２ａの位置が確認できなくてもヒンジ軸３４を挿入穴３２ａに容易に嵌合させることができる。【選択図】        図４
2005152447.tif 000002
【特許請求の範囲】
【請求項１】
遊技球が打ち出される遊技領域が設けられた遊技機本体に対し、前記遊技領域が露呈される窓部を備えた可動扉を回動自在に支持する弾球遊技機のヒンジ機構において、
前記可動扉は、前記遊技機本体に枢設するための基体となる扉本体と、扉本体の少なくとも前面を覆う外装体とを備え、
前記遊技機本体には、ヒンジ軸が形成された軸支持部が設けられており、
前記扉本体には、前記ヒンジ軸が挿入されて前記遊技機本体に回動自在となる挿入穴が形成された軸受け部が設けられており、
前記挿入穴は、前記外装体に向かって突出した部位に設けられ、
前記外装体には、前記ヒンジ軸を挿脱する方向に沿って、前記挿入穴の近傍の高さが低くされた傾斜状の突条部が設けられており、
前記ヒンジ軸を前記挿入穴に対して挿脱する際に前記軸支持部が前記突条部に当接し、摺動可能であることを特徴とする弾球遊技機のヒンジ機構。
【発明の詳細な説明】
【技術分野】
【０００１】
本発明は、遊技領域を露呈する窓部を備えた可動扉を遊技機本体に対して回動自在に支持する弾球遊技機のヒンジ機構に関する。
【背景技術】
【０００２】
遊技場に設置される弾球遊技機は、例えば、遊技球の打ち出される遊技領域が設けられた遊技盤と、遊技盤が組み込まれる筐体からなる遊技機本体と、遊技機本体の前面を覆う可動扉とから構成されている。可動扉は、遊技領域を外部に露呈させる透明なガラス窓を有し、遊技者は、ガラス窓を通して遊技領域を落下する遊技球の挙動を観察することができる。可動扉は、遊技機本体に対して回動自在に支持され、閉じられた状態では施錠装置によってロックされる。また、遊技機内部で発生した故障の修理等を行うときには、施錠を解除して可動扉を開放することができる。
【０００３】
可動扉は、主として、遊技機本体に枢着される扉本体と、扉本体の開口部に取り付けられるガラス板等の透明板と、扉本体を覆う外装体とから構成されている。扉本体は、その側部の上端又は下端の何れか一方に設けられた金属ピンを有する軸支持部と、他方に設けられた軸受け部とを介して遊技機本体に枢着される。金属ピンは、遊技機本体に対して抜き差しするために移動自在に取り付けられ、金属ピンを引き抜く位置に移動させて保持しておけば、遊技機本体に対して可動扉を取り付ける際や取り外す際の作業が容易になる。扉本体の側部の上端又は下端に設けられた軸受け部は、側部の他方に設けられた軸支持部の構造とは異なり、遊技機本体に設けられたヒンジ軸を差し込むための挿入穴が形成された簡単な構造をしている。
【０００４】
扉本体を覆う外装体は、扉本体の前面とその側面とを覆うことにより弾球遊技機の外観、主に遊技領域の周囲の外観を装飾する。外装体は、扉本体又は外装体自体に設けられた発光ダイオード等の発光体の光を透過させる透明部を有しており、弾球遊技機に備えられた制御装置によって、遊技の進行状態等に応じた発光体の点灯又は点滅の制御が行われることにより、遊技者に対して遊技の進行状態等が報知される。
【発明の開示】
【発明が解決しようとする課題】
【０００５】
従来の弾球遊技機では、可動扉を遊技機本体に取付けやすいように、上述した軸受け部が扉本体の背面側に突出して設けられており、軸受け部を遊技機本体のヒンジ軸に宛がうことが容易な構造をしている。しかしながら、可動扉に遊技状態等を発光表示する多数の電飾が設けられると、扉本体と外装体との間に比較的大きな空間が必要になり、可動扉の厚みが大きくなる。軸受け部が扉本体の背面側に突出している場合、可動扉はその外表面から離れた位置で遊技機本体に枢着されるため、可動扉を開放したときに外装体の側壁部又は前面に突出させた電飾部などが遊技店で隣接して設置される他の遊技機に接触しやすくなり、可動扉を開閉できる回動領域が狭くなるという問題がある。
【０００６】
本発明は、上記問題点を考慮してなされたもので、可動扉の回動領域を大きく確保でき、扉本体の軸受け部に対して遊技機本体のヒンジ軸を容易に挿入することが可能な弾球遊技機のヒンジ機構を提供することを目的とする。
【課題を解決するための手段】
【０００７】
上記目的を達成するために、本発明は、遊技球が打ち出される遊技領域が設けられた遊技機本体に対し、前記遊技領域が露呈される窓部を備えた可動扉を回動自在に支持する弾球遊技機のヒンジ機構において、前記可動扉は、前記遊技機本体に枢設するための基体となる扉本体と、扉本体の少なくとも前面を覆う外装体とを備え、前記遊技機本体には、ヒンジ軸が形成された軸支持部が設けられており、前記扉本体には、前記ヒンジ軸が挿入されて前記遊技機本体に回動自在となる挿入穴が形成された軸受け部が設けられており、前記挿入穴は、前記外装体に向かって突出した部位に設けられ、前記外装体には、前記ヒンジ軸を挿脱する方向に沿って前記挿入穴の近傍の高さが低くされた傾斜状の突条部が設けられており、前記ヒンジ軸を前記挿入穴に対して挿脱する際に前記軸支持部が前記突条部に当接し、摺動可能であることを特徴とする。
【発明の効果】
【０００８】
本発明によれば、軸受け部を扉本体から外装体に向かって突出して設けているから、ヒンジ軸を従来よりも可動扉の外表面の近傍の位置に設定することができ、可動扉を開放したときに外装体の側壁部等は隣接する他の遊技機等に衝突しにくくなる。この構造では、可動扉の回動領域が広くなる一方で外装体と扉本体の間に位置する軸受け部を直接確認しながら可動扉を遊技機本体に取り付けることができなくなるが、ヒンジ軸が形成された軸支持部を外装体に形成した突条部に当接させ、軸受け部の挿入穴に向けて摺動してガイドしているから、軸受け部を直接確認することなく可動扉を遊技機本体に対して従来と同様にして容易に取り付けることができる。
【発明を実施するための最良の形態】
【０００９】
図１において、弾球遊技機１０は、遊技機本体１１とガラス扉（可動扉）１２を備えるように構成されている。遊技機本体１１には、遊技盤１３が着脱自在に組み込まれている。ガラス扉１２は、遊技機本体１１に対して回動自在に取り付けられている。ガラス扉１２は透明板としてガラス板が嵌め込まれたガラス窓１４を有し、遊技者はガラス窓１４を通して遊技盤１３を視認可能である。遊技盤１３には、その前面に遊技者の操作によって遊技球が打ち出される遊技領域が設けられている。遊技盤１３に設けられた遊技領域には、複数の障害釘や風車等の構造物、液晶表示装置１５、始動入賞口１６やアタッカ１７等が設けられている。なお、これらのものはいずれも公知であるので、その詳細については省略する。また、遊技盤１３の背面には、液晶表示装置１５を制御する回路等が設けられた基板やアタッカ１７を駆動するモータやそれらを作動させる制御装置等が組み付けられている。
【００１０】
遊技機本体１１の下部には、受け皿２０とハンドル２１が設けられている。受け皿２０には、遊技に使用する遊技球がセットされ、また、遊技を行って得られた賞球が払い出される。ハンドル２１は、遊技機本体１１の内部に設けられた球発射装置と連結されており、遊技球を打ち出す際に操作される。ハンドル２１を回動すると、回動した角度に応じた強さで遊技球が自動的に打ち出される。
【００１１】
図２において、遊技機本体１１は、遊技盤１３を保持する保持枠２５と、上述した受け皿２０等が設けられた本体基部とに分離自在である。また、遊技盤１３は保持枠２５から分離自在である。このような構造は、例えば遊技球の落下態様を変えるために遊技盤１３を他の遊技盤と交換して弾球遊技機１０の遊技内容を変更する時や、弾球遊技機１０の外観を変更する時に、最小限の部品交換で済むようにするためのものである。
【００１２】
ガラス扉１２は、保持枠２５によって回動自在に支持される。すなわち、保持枠２５が本体基部に取り付けられることにより、ガラス扉１２が遊技機本体１１に対して回動自在に支持される。ガラス扉ｑ１２は閉じられた状態で保持枠２５に固定され、遊技盤１３に外部から触れることができないように施錠される。一方、施錠を解除すると、ガラス扉１２を回動させて開放することができる。
【００１３】
図３において、ガラス扉１２は、扉本体２８と外装体２９とガラス板３０とからなる。外装体２９は、扉本体２８の前面と側面とを囲うように覆う形状を有し、扉本体２８に設けられるスピーカーや発光素子等の電気部品を保護する。また、ガラス扉１２を装飾し、発光素子を点灯させたときの光に視覚的効果を与える有色の透明部やレンズ部を有している。
【００１４】
ガラス板３０は、扉本体２８にその背面側から取り付けられ、ガラス扉１２が開放される向きと逆向きに回動する。ガラス板３０は、ガラス表面や周囲の縁を清掃するときに扉本体２８から容易に取り外せるようになっている。扉本体２８は、中央にガラス板３０が嵌め込まれる開口が設けられた枠体からなる。扉本体２８の前面には、その上端隅と下端隅に軸受け金具３１，３２が設けられている。扉本体２８の上端部にある軸受け金具３１には、金属ピン３３が保持されている。金属ピン３３は、軸受け金具３１によって、保持枠２５の上部に設けられる軸穴（図示なし）に向かって突出する位置と、この軸穴から引き抜かれて退避する位置とで進退自在に保持される。軸受け金具（軸受け部）３２は、軸受け金具３１と同一形状のものであるが、保持枠２５の下部に設けられるヒンジ軸３４（図４参照）を保持するために設けられている。
【００１５】
図４において、保持枠２５の下部には、保持枠２５にビス止めされる固定腕部３５ａと、固定腕部３５ａに対してＬ字状に屈曲した水平腕部３５ｂとを有する板状金具（軸支持部）３５が設けられている。水平腕部３５ｂは、保持枠２５の前方に突出しており、その上面にヒンジ軸３４が設けられている。ヒンジ軸３４はその先端がテーパー状に形成されている。ヒンジ軸３４は水平腕部３５ｂの上でその先端を上方に向けて設けられている。水平腕部３５ｂには、その先端縁の一部を略円弧状に切り欠いた２つの凹部３６が設けられている。
【００１６】
軸受け金具３２は、扉本体２８の前面に取り付けられている。従って、扉本体２８に外装体２９が組み付けられた状態では、軸受け金具３２は扉本体２８の前面と外装体２９の背面とに挟まれた空間内に位置する。軸受け金具３２には、ヒンジ軸３４が挿入される挿入穴３２ａが設けられている。挿入穴３２ａは、穴の中心線が鉛直方向を向いており、板状金具３５に設けられたヒンジ軸３４を下方から受け入れることができる。
【００１７】
外装体２９には、扉本体２８の側面を覆う側壁部２９ａ，２９ｂが設けられている。側壁部２９ａは扉本体２８を背面からみたときの右側面を覆い、側壁部２９ｂは扉本体２８の下側面を覆う。外装体２９の背面には、軸受け金具３２と側壁部２９ｂとの間に位置するように、１対のガイドリブ（突条部）４０，４１が設けられている。ガイドリブ４０，４１は、ヒンジ軸３４を挿入穴３２ａに挿入させる際のガイドとなるものである。ガイドリブ４０，４１は、ヒンジ軸３４を挿入穴３２ａに挿入させる方向と平行に設けられる。ガイドリブ４０，４１は互いの形状が同一であり、その高さは側壁部２９ａ，２９ｂよりも低い。ガイドリブ４０，４１は、ガラス扉１２の側方から見たときの形状が略台形形状であり、軸受け金具３２に近い一端側よりも側壁部２９ｂに近い他端側が高く、斜面４０ａ，４１ａを有している。斜面４０ａ，４１ａは、水平方向に対する中央部が高く隆起した曲面形状をしている。ガイドリブ４０，４１の間隔は、板状金具３５の水平腕部３５ｂの幅よりも小さく、水平腕部３５ｂに設けられた２つの凹部３６の間隔と等しくなっている。
【００１８】
次に、遊技機本体１１にガラス扉１２を組み付ける際の手順について説明する。図５において、扉本体２８に外装体２９とガラス板３０を取り付けてガラス扉１２を組み立てた後、例えば外装体２９の側壁部２９ａ等を把持し、遊技機本体１１の前方に突出した板状金具３５の水平腕部３５ｂに対して側壁部２９ｂを接近させる。このとき、ガイドリブ４０及び４１と板状金具３５との位置は、遊技機本体１１とガラス扉１２との間から確認できるので、ガイドリブ４０，４１を水平腕部３５ｂの先端に宛がうと、板状金具３５の水平腕部３５ｂがガイドリブ４０，４１に当接し、斜面４０ａ，４１ａに２つの凹部３６がそれぞれ係合する。これにより、水平腕部３５ｂの先端部分がガイドリブ４０，４１の間に入り込み、ガラス扉１２を把持する間は、水平方向（左右方向）に関する不用意な動きが制限され、ガラス扉１２を遊技機本体１１に対して正対させることができる。
【００１９】
板状金具３５の固定腕部３５ｂにガイドリブ４０，４１を押し付けた状態を保ち、外装体２９を斜め下方に移動させる。このとき、挿入穴３２ａの位置を確認することはできないが、凹部３６がガイドリブ４０，４１に摺接しながら斜面４０ａ，４１ａの上を滑り、ガラス扉１２が斜面４０ａ，４１ａの傾斜に沿って移動して遊技機本体１１に近づいていく。軸受け金具３３は水平腕部３５ｂに接近し、挿入穴３２ａがヒンジ軸３４の先端に向かって案内される。ガラス扉１２を所定の位置まで移動させたとき、ヒンジ軸３４の先端が挿入穴３２ａに入り込み、ヒンジ軸３４が挿入穴３２ａに挿入される。ヒンジ軸３４が挿入穴３２ａに挿入したことは、外装体２９を把持する手にかかる荷重が小さくなることや、ガラス扉１２を前方向に動かすことができなくなることから直ちにわかる。このようにして、扉本体２８の下部が保持枠２５すなわち遊技機本体１１に取り付けられる。
【００２０】
扉本体２８の下部が遊技機本体１１に取り付けられた後は、扉本体２８の上部を遊技機本体１１に取り付ける。扉本体２８の上部を遊技機本体１１の上部に宛がう際、金属ピン３３を適宜操作し、その先端を軸受け金具３１から突出しないように引っ込ませておく。扉本体２８の上部を遊技機本体１１の上部に宛がい、軸穴（図示なし）に対して金属ピン３３が位置決めができたときに金属ピン３３を軸穴に差し込む。これにより、扉本体２８はその上部と下部で遊技機本体１１に枢着され、遊技機本体１１にガラス扉１２が回動自在に支持された弾球遊技機１０が完成する。
【００２１】
なお、上記実施形態は、２つのガイドリブ４０，４１と、ヒンジ軸３４が設けられた板状金具３５の一部とが摺接することにより、ヒンジ軸３４が挿入穴３２ａに向けて誘導されるが、本発明では、ヒンジ軸が形成された軸支持部に摺接することの可能な間隔で複数の突条部を設ければよい。また、例えば突条部の厚さを薄くして軸支持部の先端に設けたスリット状の細い切込みを嵌合させる等の手段により、ヒンジ軸が挿脱される軸方向を含まない方向の不用意な動きを規制して軸支持部と突条部との摺動を容易にできれば、突条部の数を単数とすることもできる。軸支持部と突条部との摺動を容易にするための軸支持部の形状、突条部の形状は実施の形態に応じて適宜選択でき、両者の摩擦を考慮した表面処理の有無や材質等も適宜選択し得る。よって、ガイドリブ４０，４１は、具体的な形状に限定されず、例えば斜面４０ａ，４１ａを湾曲させてもよく、軸受け部に近い一端側の高さが低く、側壁部に近い他端側の高さが高くなるように形成されていればよい。
【００２２】
また、ガイドリブ４０，４１は、ヒンジ軸３４を挿入穴３２ａに挿入させる向きに対して正確に平行に設けることに限らず、ヒンジ軸の挿入が円滑に行える範囲内であれば、例えば斜面４０ａ，４１ａの軸方向に対する傾斜と同じ程度の角度で異なる方向に傾けて設けられていてもよい。挿入穴が設けられる軸受け部は、扉本体２８に固定された軸受け金具３２に限られず、その他の形状の金具等を用いたり、扉本体と同じ材質で一体に形成されていてもよい。また、ガイドリブ４０，４１が設けられる位置は可動扉の下部に限らず、ヒンジ軸を遊技機本体の上部に設けたときには可動扉の上部に設けてもよい。
【図面の簡単な説明】
【００２３】
【図１】弾球遊技機の外観斜視図である。
【図２】保持枠と遊技盤の斜視図である。
【図３】ガラス扉の分解斜視図である。
【図４】軸受け金具とヒンジ軸を示す斜視図である。
【図５】ガラス扉の取り付け時にガイドリブとヒンジ軸との相対的な位置の変化を示す側面図である。
【符号の説明】
【００２４】
１０  弾球遊技機
１１  遊技機本体
１２  ガラス扉
２８  扉本体
２９  外装体
３１，３２  軸受け金具
３２ａ  挿入穴
３４  ヒンジ軸
４０，４１  ガイドリブ
【図１】
2005152447.tif 000003
【図２】
2005152447.tif 000004
【図３】
2005152447.tif 000005
【図４】
2005152447.tif 000006
【図５】
2005152447.tif 000007